(57)【要約】【課題】多様なシート幅寸法を切断したい需要に対応して複数の上下の交差・圧接して回転しながら切断する円板刃ユニットを自在に移動することができ、切断幅可変シート切断装置を提供する。【解決手段】切断幅可変シート切断装置は、左右一対の上丸刃１５ｌ，ｒと、前記上丸刃にそれぞれ、対応する一対の下丸刃１６ｌ，ｒと、前記各丸刃に結合して左右に移動させる上下丸刃移動部材（ブロック）と、フレームに設けられている左右対称な送りねじを有し、前記上下丸刃移動部材を左右直進駆動可能に支持する上下の送りねじ軸と、フレームに設けられ前記上下丸刃を摺動可能に支持して回転駆動する上下丸刃駆動軸１７，１８、前記上下の送りねじ軸に回転力を伝達する送りねじ軸駆動手段と、前記上下丸刃駆動軸に回転力を伝達する上下丸刃駆動軸駆動手段とから構成されている。【選択図】        図１
2004237377.tif 000002
【特許請求の範囲】
【請求項１】
左右一対の上丸刃と、
前記上丸刃にそれぞれ、対応する一対の下丸刃と、
前記各丸刃に連結して左右に移動させる上下丸刃移動部材と、
フレームに設けられている左右対称な送りねじを有し、前記上下丸刃移動部材を左右直進駆動可能に支持する上下の送りねじ軸と、
前記フレームに設けられ前記上下丸刃を摺動可能に支持して回転駆動する上下丸刃駆動軸と、
前記上下の送りねじ軸に回転力を伝達する送りねじ軸駆動手段と、
前記上下丸刃駆動軸に回転力を伝達する上下丸刃駆動軸駆動手段と、
から構成した切断幅可変シート切断装置。
【請求項２】
請求項１記載の切断幅可変シート切断装置において、
前述した装置は前記上下丸刃駆動軸の中央部に上下対応する一組または二組の上下丸刃が設けられている切断幅可変シート切断装置。
【請求項３】
請求項１記載の切断幅可変シート切断装置において、
前述した装置は前記上下丸刃駆動軸の中央部に上下対応する一組または二組の上下固定搬送ローラが設けられている切断幅可変シート切断装置。
【請求項４】
請求項１または２記載の切断幅可変シート切断装置において、
前記上下丸刃の一方は対応する下方の丸刃の方向にばねで付勢されている切断幅可変シート切断装置。
【請求項５】
請求項１記載の切断幅可変シート切断装置において、
前記各丸刃に連結して左右に移動させる前記上下丸刃移動部材は、
回転を制限されて前記送りねじ軸にねじ結合されている部材である請求項１記載の切断幅可変シート切断装置。
【発明の詳細な説明】
【０００１】
【発明の属する技術分野】
本発明は紙、布、フィルム等、長尺のシート材を縦方向（送り方向）に切断するシート切断装置に関する。さらに詳しく言えば、上下の円板刃が互いに交差・圧接して回転しながら切断を行なう装置で、切断幅を自在に可変調節して切断できるシート切断装置に関する。
【０００２】
【従来の技術】
近年、カラーレーザプリンタの普及に伴い、種々の裁断装置が開発されて販売されている。それらの裁断装置はシートの給送方向に直行する切断は操作パネル上のスイッチを押すことでかなり自由に切断することができる。
しかしシートを幅方向（シートの送り方向に平行方向）に切断するスリッタは、上下の互いに交差・圧接する円板刃が固定されているために、設定されている幅寸法でしか切断することができない。
【０００３】
【発明が解決しようとする課題】
上述したような従来の裁断装置あるいはスリッタにおいて、シートの切断幅寸法を変えようとした場合、所望の寸法に設定された切断装置（スリッタ）を別に購入して入れ替えることが必要になる。このように切断幅寸法を変えるたびに、予備の切断装置（スリッタ）を入れ替える作業を繰り返さなければならず、保管もしなければならない。
【０００４】
本発明は、多様なシート幅寸法を切断したい需要に対応して、複数の上下の交差・圧接して回転しながら切断する円板刃ユニットを自在に移動することができる切断幅可変シート切断装置を提供することにある。
【０００５】
【課題を解決するための手段】
前記目的を達成するために、本発明による請求項１記載の切断幅可変シート切断装置は、左右一対の上丸刃と、
前記上丸刃にそれぞれ、対応する一対の下丸刃と、
前記各丸刃に連結して左右に移動させる上下丸刃移動部材（ブロック）と、
フレームに設けられている左右対称な送りねじを有し、前記上下丸刃移動部材を左右直進駆動可能に支持する上下の送りねじ軸と、
前記フレームに設けられ前記上下丸刃を摺動可能に支持して回転駆動する上下丸刃駆動軸と、
前記上下の送りねじ軸に回転力を伝達する送りねじ軸駆動手段と、
前記上下丸刃駆動軸に回転力を伝達する上下丸刃駆動軸駆動手段と、
から構成されている。
請求項２記載の切断幅可変シート切断装置は、請求項１記載の切断幅可変シート切断装置において、
前述した装置は前記上下丸刃駆動軸の中央部に上下対応する一組または二組の上下丸刃が設けられて構成されている。
本発明による請求項３記載の切断幅可変シート切断装置は、
請求項１記載の切断幅可変シート切断装置において、
前述した装置は前記上下丸刃駆動軸の中央部に上下対応する一組または二組の上下固定搬送ローラが設けられている。
本発明による請求項４記載の切断幅可変シート切断装置は、請求項１または２記載の切断幅可変シート切断装置において、
前記上下丸刃の一方は対応する下方の丸刃の方向にばねで付勢されて構成されている。
本発明による請求項５記載の切断幅可変シート切断装置は、請求項１記載の切断幅可変シート切断装置において、
前記各丸刃に連結して左右に移動させる前記上下丸刃移動部材は、
回転を制限されて前記送りねじ軸にねじ結合されている部材である。
【０００６】
【発明の実施の形態】
以下、実施例を示す図面を参照して本発明を詳しく説明する。
図１は、本発明による切断幅可変シート切断装置の実施例の主要部とシートの関係を説明するための斜視図である。
この実施例は上固定丸刃ユニット１１と対応する下固定丸刃１２によるシート３０の中央部の切断を行なう。また左右の上スライド丸刃ユニット１５ｌ，１５ｒ、対応する左右の下スライド丸刃ユニット１６ｌ，１６ｒにより左右辺側の切断を行なう。
【０００７】
上丸刃駆動軸１７には、上固定丸刃ユニット１１と左右の上スライド丸刃ユニット１５ｌ，１５ｒが設けられている。この図では、右側の円錐台上の上スライド丸刃１５ａｒ（ｒ：以下右側を意味する添え字として用いる）と、右側の円錐台上の上スライド丸刃１５ａｌ（ｌ：以下左側を意味する添え字として用いる）のみを示している。下丸刃駆動軸１８には左右の下スライド丸刃１６ａｌと１６ａｒ、左右の下スライドフランジ１６ｂｌと１６ｂｒおよび、下固定丸刃１２が固定されている。この図に示す状態では、図面の左上方向から用紙を挿入し右下側に裁断されて排出される状態を示しており、用紙に付された破線は切断された線を示している。左右の上スライド丸刃ユニット１５ｌ，１５ｒ等の位置は連動して調節可能である。上丸刃駆動軸１７と下丸刃駆動軸１８は後述するように同期回転駆動され、シート３０を矢印方向に搬送しながら破線で示すように切断する。左右の破線の位置（外側の切断線）は調節可能である。
【０００８】
図２は、前記実施例装置の左右の丸刃対の位置調整構造を説明するための平面図、図３は、前記実施例装置の左右の丸刃対の位置調整構造を説明するための正面図である。図６は、前記実施例装置の上下丸刃の位置調整伝達機構を説明するための左側面図である。図７は、前記実施例装置の上下丸刃の位置移動を説明するための正面図、図８は、前記実施例装置の切断回転駆動力伝達機構を説明するための右側面図である。左右のフレーム２０ｌ，２０ｒ（図２、図３参照）は、図示しない基台等により一定の間隔を保って設けられている。
左右のフレーム２０ｌ，２０ｒは、上送りねじ軸４と下送りねじ軸５および上丸刃駆動軸１７と下丸刃駆動軸１８を回転可能に支持している。また上丸刃ユニット移動ブロック案内軸２２および下丸刃ユニット移動ブロック案内軸２３は前記左右のフレーム２０ｌ，２０ｒ間に固定されている。それらの軸の相対位置関係は、図６，図８に示されている。
【０００９】
図２に示されているように、一対の上丸刃ユニット移動ブロック１ｌ，１ｒはそれぞれのナット３ｌ，３ｒで上送りねじ軸４の左ねじ部分４ｌと右ねじ部分４ｒにねじ結合されている。また上丸刃ユニット移動ブロック１ｌ，１ｒは上丸刃ユニット移動ブロック案内軸２２により案内されている。
同様に、下丸刃ユニット移動ブロック２ｌ，２ｒは下丸刃ユニット移動ブロック案内軸２３（図３参照）により案内されている。
上丸刃ユニット移動ブロック１ｌ，１ｒにはそれぞれ上丸刃ユニット移動プレート７ｌ，７ｒ（図３，４，５，７，８参照）が設けられている。
下丸刃ユニット移動ブロック２ｌ，２ｒにはそれぞれ下丸刃ユニット移動プレート８ｌ，８ｒ（図３，４，５，８参照）が設けられている。
【００１０】
次に主として、図４，５と７を参照して丸刃の構成を説明する。図４は右側の移動丸刃を取り出して示した正面断面図である。図５は、前記実施例装置の上下丸刃の位置関係を説明するための右側面図である。図７は、前記実施例装置の上下丸刃の位置移動を説明するための正面図であり、上下のスライド丸刃ユニット１５，１６が外側に移動させられた状態を１５’，１６’（移動位置で仮想線で示す）で示してある。
【００１１】
図４は、理解を容易にするために上丸刃駆動軸１７，下丸刃駆動軸１８を省略して示してある。
右側の上スライド丸刃ユニット１５ｒの上刃スライドフランジ１５ｂｒには中心を含む断面が円錐台状である上丸刃１５ａｒが、連結ピンで回転が制限され、複数の圧縮ばね１５ｅｒで後述する下円筒刃１６ａｒ方向に付勢されて設けられている。上刃スライドフランジ１５ｂｒの外周には搬送用のゴム１５ｄｒが設けられている。上刃スライドフランジ１５ｂｒの中心孔に上丸刃駆動軸１７に係合するキー１５ｃｒが設けられている。また上刃スライドフランジ１５ｂｒには、前述した上丸刃ユニット移動ブロック１ｒの上丸刃ユニット移動プレート７ｒが係合している。なお右側の上スライド丸刃ユニット１５ｌはこれと対称の形状である。
【００１２】
右側の下スライド丸刃ユニット１６ｒの下刃スライドフランジ１６ｂｒには下丸刃（円筒刃）１６ａｒが設けられている。下刃スライドフランジ１６ｂｒの外周は、前述した上刃スライドフランジ１５ｂｒの外周の搬送用のゴム１５ｄｒと共動してシートを搬送する。下刃スライドフランジ１６ｂｒの中心孔に下丸刃駆動軸１８に係合するキー１６ｃｒが設けられている。また下刃スライドフランジ１６ｂｒには、前述した下丸刃ユニット移動ブロック２ｒの上丸刃ユニット移動プレート８ｒが係合している。なお右側の下スライド丸刃ユニット１６ｌはこれと対称の形状である。
【００１３】
この実施例に係る切断幅可変シート切断装置は、図１，図７に示すように、
一対の上固定丸刃ユニット１１ｌと１１ｒが上丸刃駆動軸１７に、下固定丸刃１２が下丸刃駆動軸１８に固定されている。各上固定丸刃ユニット１１ｌと１１ｒは、ばね等によりそれぞれ下固定丸刃１２方向に固定されている。上固定丸刃ユニット１１ｌと１１ｒの中心断面形状は円錐台状である。また、上丸刃駆動軸１７には上固定搬送ローラ１３ｌ，１３ｒが設けられており、下丸刃駆動軸１８には下固定搬送ローラ１４ｌ，１４ｒが設けられておりそれらは同期回転してシート３０を搬送する。
【００１４】
次に図２、図３、図６等を参照して前記実施例装置の上下丸刃の位置調整伝達機構を説明する。上送りねじ軸４に丸刃移動つまみ６が設けられており、このつまみ６を回転させると上送りねじ軸４にナット３ｌ，３ｒを介して結合されている上丸刃ユニット移動ブロック１ｌおよび上丸刃ユニット移動ブロック１ｒがそれぞれ反対方向に移動させられる。この上送りねじ軸４の一端にはプーリ１０ｕ（図３参照）が、下送りねじ軸５の一端にはプーリ１０ｄが設けられており、これらプーリ１０ｕとプーリ１０ｄ間に上下ねじ軸連結ベルトが掛け渡されている。これにより、上送りねじ軸４の回転は下送りねじ軸５に伝達される。その結果下丸刃ユニット移動ブロック２ｌおよび下丸刃ユニット移動ブロック２ｒが前記上丸刃ユニット移動ブロック１ｌおよび上丸刃ユニット移動ブロック１ｒと同様に移動させられる。
【００１５】
次に図７、図８等を参照して本発明による装置の切断回転駆動力伝達機構を説明する。上丸刃駆動軸１７および下丸刃駆動軸１８の右端にはそれぞれ歯車１９ｕおよび１９ｄが設けられており噛み合わされている。何れかの歯車、例えは歯車１９ｄに図示しない歯車を介して回転力が伝達され、回転させられると、上丸刃駆動軸１７および下丸刃駆動軸１８は回転させられる。
図８に示されている下丸刃駆動軸１８が時計方向に回転させられると上丸刃駆動軸１７は反時計方向に回転させられる。
上刃スライドフランジ１５ｂｌ，ｒとこれらと一体に回転する搬送用ゴム１５ｄｒ，上丸刃１５ａｌ，ｒ、上固定丸刃１１ｌ，ｒ  、上固定搬送ローラ１３ｌ，ｒは回転させられる（図６で時計方向，図８で反時計方向）。
また下刃スライドフランジ１６ｂｌ，ｒとこれらと一体に回転する下丸刃１６ａｌ，ｒ、下固定丸刃１２ｌ，ｒ、下固定搬送ローラ１４ｌ，ｒが回転させられる（図６で反時計方向，図８で時計方向）。その結果シート３０は搬送され切断される。
【００１６】
次に前記実施例装置の動作について説明する。まず最初に切断線の位置を決定するために前述したように移動つまみ６を回して、上下丸刃ユニット移動ブロック１，２を移動させて上下スライド丸刃ユニット１５，１６の位置を定める。図９に丸刃ユニットの移動範囲を示してある。丸刃ユニットを外側に移動させた位置で左上下スライド丸刃ユニットを１５’ｌ、１６’ｌとして示し、右上下スライド丸刃ユニットを１５’ｒ、１６’ｒとして示す。図９はシート３０挿入前の状態を示している。
【００１７】
図９に示すシート３０に切断予定線３０ａ，３０ｂ〜３０ｆを仮想線で示してある。なお３０ａと３０ｆは、上下スライド丸刃ユニットが図９中の仮想線で示す１５’ｌ，ｒ、１６’ｌ，ｒ、の示す位置での仮想切断線である。
図１０中（Ａ）に前述した実施例装置の切断済の状態を示してある。右上下スライド丸刃ユニットを最も内側に寄せた位置では、３０ｈ〜３０ｂ、３０ｂ〜３０ｃ、３０ｃ〜３０ｄ、３０ｄ〜３０ｅ、３０ｅ〜３０ｉの５条に裁断される。
左右上下スライド丸刃ユニットを最も外側に寄せた位置では、３０ｈ〜３０ａ、３０ａ〜３０ｃ、３０ｃ〜３０ｄ、３０ｄ〜３０ｆ、３０ｆ〜３０ｉの５条に裁断される。３０ｈ〜３０ａ，３０ｃ〜３０ｄ，３０ｆ〜３０ｉの部分は破棄される場合が多い。
【００１８】
図１０の（Ｂ）に前述した実施例から上下固定丸刃ユニットを外した場合の他の例を示す。左右上下スライド丸刃ユニットを最も内側に寄せた位置では、３０ｈ〜３０ｂ、３０ｂ〜３０ｅ、３０ｅ〜３０ｉの３条に裁断される。左右上下スライド丸刃ユニットを最も外側に寄せた位置では、３０ａ〜３０ｆの最大幅の裁断が可能である。この場合３０ｈ〜３０ａ、３０ｆ〜３０ｉは破棄される。
【００１９】
図１０の（Ｃ）に前述した実施例から上下固定丸刃ユニットを唯一の上下固定切断刃のみとし、これを中心に配置した場合の他の例を示す。
左右上下スライド丸刃ユニットを最も内側に寄せた位置では、３０ｈ〜３０ｂ、３０ｂ〜３０ｊ、３０ｊ〜３０ｅ、３０ｅ〜３０ｉの４条に分離される。
左右上下スライド丸刃ユニットを最も外側に寄せた位置では、３０ｈ〜３０ａ、３０ａ〜３０ｊ、３０ｊ〜３０ｆ、３０ｆ〜３０ｉの４条に分離される。
【００２０】
【発明の効果】
以上詳しく説明したように、本発明によれば、紙、フィルム等のシート材を縦方向に切断するスリッタにおいて自動的または手動でシート材の切断幅寸法を可変できる装置を提供することができる。また、上下一対の丸刃ユニットを左右に複数組み込むことによって、さらに多数の切れ目を入れることが可能となり、種々の変形利用が可能となる。
【００２１】
中央に固定された上下互いに交差・圧接して回転する丸刃ユニットを配置すれば、シートの中央で切断することも可能となる。
【００２２】
両外側に固定された上下互いに交差・圧接して回転する丸刃ユニットを配置し、内側にスライド丸刃ユニットを配置すれば変形利用も可能となる。
【図面の簡単な説明】
【図１】本発明による切断幅可変シート切断装置の実施例の主要部とシートの関係を説明するための斜視図である。
【図２】前記実施例装置の左右の丸刃対の位置調整構造を説明するための平面図である。
【図３】前記実施例装置の左右の丸刃対の位置調整構造を説明するための正面図である。
【図４】前記実施例装置の丸刃を説明するために、右側の丸刃を取り出して示した正面断面図である。
【図５】前記実施例装置の上下丸刃の関係を説明するための右側面図である。
【図６】前記実施例装置の上下丸刃の位置調整伝達機構を説明するための左側面図である。
【図７】前記実施例装置の上下丸刃の位置移動を説明するための正面図である。
【図８】前記実施例装置の切断回転駆動力伝達機構を説明するための右側面図である。
【図９】前記実施例装置の丸刃ユニットの移動範囲と切断幅の関係を説明するための正面図に、シートの平面図を対応させて示してある。
【図１０】前記実施例装置と変形例の切断動作を説明するための説明図である。
【符号の説明】
１  上丸刃ユニット移動ブロック
２  下丸刃ユニット移動ブロック
３  ナット
４  上送りねじ軸
５  下送りねじ軸
６  丸刃移動つまみ
７  上丸刃ユニット移動板（プレート）
８  下丸刃ユニット移動板（プレート）
９  上下ねじ軸連結ベルト
１０  プ−リ
１１  上固定丸刃ユニット
１２  下固定丸刃
１３  上固定搬送ローラ
１４  下固定搬送ローラ
１５  上スライド丸刃ユニット
１６  下スライド丸刃ユニット
１７  上丸刃駆動軸
１８  下丸刃駆動軸
１９  歯車
２０  フレーム
２１  キー
２２  上丸刃ユニット移動ブロック案内軸
２３  下丸刃ユニット移動ブロック案内軸
３０  シート
【図１】
2004237377.tif 000003
【図２】
2004237377.tif 000004
【図３】
2004237377.tif 000005
【図４】
2004237377.tif 000006
【図５】
2004237377.tif 000007
【図６】
2004237377.tif 000008
【図７】
2004237377.tif 000009
【図８】
2004237377.tif 000010
【図９】
2004237377.tif 000011
【図１０】
2004237377.tif 000012
【手続補正書】
【提出日】平成15年2月14日(2003.2.14)
【手続補正１】
【補正対象書類名】図面
【補正対象項目名】全図
【補正方法】変更
【補正の内容】
【図１】
2004237377.tif 000013
【図２】
2004237377.tif 000014
【図３】
2004237377.tif 000015
【図４】
2004237377.tif 000016
【図５】
2004237377.tif 000017
【図６】
2004237377.tif 000018
【図７】
2004237377.tif 000019
【図８】
2004237377.tif 000020
【図９】
2004237377.tif 000021
【図１０】
2004237377.tif 000022